(57)【要約】  本願は制御回路、表示装置及び表示装置における光源に給電するための方法を提供する。当該制御回路は第１の電源、第２の電源と制御モジュールを含む。前記第１の電源と前記第２の電源はいずれも前記制御モジュールに接続される。前記制御モジュールは前記第１の電源と光源の間の接続及び前記第２の電源と光源の間の接続を制御するためのものである。
2020532752.tif 000002
【特許請求の範囲】
【請求項１】
第１の電源、第２の電源と制御モジュールを含み、
前記第１の電源と前記第２の電源はいずれも前記制御モジュールに接続され、
前記制御モジュールは、前記第１の電源と光源の間の接続及び前記第２の電源と光源の間の接続を制御するように構成される
制御回路。
【請求項２】
前記制御モジュールは第１のスイッチング素子、第２のスイッチング素子、信号発生手段と逆相手段を含み、前記第１のスイッチング素子は前記第１の電源、前記光源と前記信号発生手段に接続され、前記第２のスイッチング素子は前記第２の電源、前記光源と前記逆相手段に接続され、前記逆相手段は前記信号発生手段に接続され、
前記信号発生手段は、前記第１のスイッチング素子により前記第１の電源と前記光源の間の接続を制御し、前記逆相手段と前記第２のスイッチング素子により前記第２の電源と前記光源の間の接続を制御するように構成される
請求項１に記載の制御回路。
【請求項３】
前記第１のスイッチング素子は第１のスイッチ管を含み、前記第１のスイッチ管の第１極は前記第１の電源に接続され、前記第１のスイッチ管の第２極は前記光源に接続され、前記第１のスイッチ管の制御極は前記信号発生手段に接続される
請求項２に記載の制御回路。
【請求項４】
前記逆相手段は反転増幅器であり、前記反転増幅器の入力端は前記信号発生手段に接続され、前記反転増幅器の出力端は前記第２のスイッチング素子に接続される
請求項２に記載の制御回路。
【請求項５】
前記第２のスイッチング素子は第２のスイッチ管を含み、前記第２のスイッチ管の第１極は前記第２の電源に接続され、前記第２のスイッチ管の第２極は前記光源に接続され、前記第２のスイッチ管の制御極は前記逆相手段に接続される
請求項２に記載の制御回路。
【請求項６】
前記制御モジュールは第１のスイッチング素子、第２のスイッチング素子と信号発生手段を含み、前記第１のスイッチング素子は前記第１の電源、前記光源と前記信号発生手段に接続され、前記第２のスイッチング素子は前記第２の電源、前記光源と前記信号発生手段に接続され、
前記信号発生手段は、前記第１のスイッチング素子により前記第１の電源と前記光源の間の接続を制御し、前記第２のスイッチング素子により前記第２の電源と前記光源の間の接続を制御するように構成される
請求項１に記載の制御回路。
【請求項７】
前記第１のスイッチング素子は第１のスイッチ管を含み、前記第１のスイッチ管の第１極は前記第１の電源に接続され、前記第１のスイッチ管の第２極は前記光源に接続され、前記第１のスイッチ管の制御極は前記信号発生手段に接続され、
前記第２のスイッチング素子は第２のスイッチ管を含み、前記第２のスイッチ管の第１極は前記第２の電源に接続され、前記第２のスイッチ管の第２極は前記光源に接続され、前記第２のスイッチ管の制御極は前記信号発生手段に接続され、
前記第１のスイッチ管はＮ型薄膜トランジスタとＰ型薄膜トランジスタのうちの一つであり、前記第２のスイッチ管はＮ型薄膜トランジスタとＰ型薄膜トランジスタのうちの残る一つである
請求項６に記載の制御回路。
【請求項８】
前記信号発生手段はマイクロ制御手段である
請求項２または６に記載の制御回路。
【請求項９】
前記第１の電源は第１のエネルギー貯蔵手段、第１の充電制御チップとソーラーアレイを含み、
前記第１の充電制御チップは、前記第１のエネルギー貯蔵手段の電気量を監視し、前記ソーラーアレイによる前記第１のエネルギー貯蔵手段への充電を制御するように構成される
請求項１〜８のいずれか１項に記載の制御回路。
【請求項１０】
前記第２の電源は第２のエネルギー貯蔵手段、第２の充電制御チップと給電装置を含み、
前記第２の充電制御チップは、第２のエネルギー貯蔵手段の電気量を監視し、給電装置による第２のエネルギー貯蔵手段への充電を制御するように構成される
請求項１〜８のいずれか１項に記載の制御回路。
【請求項１１】
前記第２のエネルギー貯蔵手段はリチウム電池であり、前記給電装置は第２のエネルギー貯蔵手段に適する充電器である
請求項１０に記載の制御回路。
【請求項１２】
前記第１の電源は、前記光源との接続に応じて定電流定電圧で前記光源に給電するように構成され、前記第２の電源は、前記光源との接続に応じて定電流定電圧で前記光源に給電するように構成される
請求項１に記載の制御回路。
【請求項１３】
光源と制御回路を含む表示装置であって、前記制御回路は請求項１〜１２のいずれか１項に記載の制御回路であり、前記制御回路における制御モジュールは、前記第１の電源と表示装置の光源の間の接続及び前記第２の電源と表示装置の光源の間の接続を制御するように構成される
表示装置。
【請求項１４】
前記第１の電源は前記光源のみに給電するように構成され、前記第２の電源は、前記表示装置における光源以外の機能モジュールにも給電するように構成される
請求項１３に記載の表示装置。
【請求項１５】
前記光源の給電電源が前記第２の電源から前記第１の電源に切り替わるように前記制御モジュールが制御する過程において、前記表示装置の他の機能モジュールは前記第２の電源との接続を保持する
請求項１４に記載の表示装置。
【請求項１６】
前記光源は前記表示装置のバックライトである
請求項１３に記載の表示装置。
【請求項１７】
表示装置は光源と制御回路を含み、前記制御回路は第１の電源、第２の電源と制御モジュールを含み、前記第１の電源と前記第２の電源はいずれも前記制御モジュールに接続され、
前記第１の電源と前記第２の電源のうちの少なくとも一つが前記光源に給電するように前記制御モジュールが制御するステップを含む
表示装置における光源に給電するための方法。
【請求項１８】
前記制御モジュールは第１のスイッチング素子、第２のスイッチング素子、信号発生手段と逆相手段を含み、前記第１のスイッチング素子は前記第１の電源、前記光源と前記信号発生手段に接続され、前記第２のスイッチング素子は前記第２の電源、前記光源と前記逆相手段に接続され、前記逆相手段は前記信号発生手段に接続され、
前記第１の電源が前記光源に給電するように前記制御モジュールが制御するステップは、
前記信号発生手段が前記第１のスイッチング素子により前記第１の電源と前記光源の接続を制御することで、前記第１の電源が前記光源に給電させるステップを含み、
前記第２の電源が前記光源に給電するように前記制御モジュールが制御するステップは、
前記信号発生手段が前記逆相手段と前記第２のスイッチング素子により前記第２の電源と前記光源の接続を制御することで、前記第２の電源が前記光源に給電させるステップを含む
請求項１７に記載の方法。
【請求項１９】
前記制御モジュールは第１のスイッチング素子、第２のスイッチング素子と信号発生手段を含み、前記第１のスイッチング素子は前記第１の電源、前記光源と前記信号発生手段に接続され、前記第２のスイッチング素子は前記第２の電源、前記光源と前記信号発生手段に接続され、
前記第１の電源が前記光源に給電するように前記制御モジュールが制御するステップは、
前記信号発生手段が前記第１のスイッチング素子により前記第１の電源と前記光源の接続を制御することで、前記第１の電源が前記光源に給電させるステップを含み、
前記第２の電源が前記光源に給電するように前記制御モジュールが制御するステップは、
前記信号発生手段が前記第２のスイッチング素子により前記第２の電源と前記光源の接続を制御することで、前記第２の電源が前記光源に給電させるステップを含む
請求項１７に記載の方法。
【請求項２０】
前記光源の給電電源が前記第２の電源から前記第１の電源に切り替わるように前記制御モジュールが制御するステップをさらに含み、
前記光源の給電電源が前記第２の電源から前記第１の電源に切り替わるように前記制御モジュールが制御するステップは、
前記第１の電源から前記光源に給電するように指示する電源選択指令を前記信号発生手段が受信するステップと、
電源選択指令に基づいて、前記表示装置のディスプレイパネルのスリープモード移行および／またはディスプレイパネルの光源消灯を制御するステップと、
前記第１の電源を前記光源に接続するように制御するステップと、
前記第２の電源を前記光源から切断するように制御するステップと、
ディスプレイパネルの光源を改めて点灯させるステップと、を含む
請求項１７に記載の方法。
【請求項２１】
前記光源の給電電源が前記第２の電源から前記第１の電源に切り替わるように前記制御モジュールが制御する過程において、前記表示装置の他の機能モジュールは前記第２の電源との接続を保持する
請求項２０に記載の方法。
【発明の詳細な説明】
【技術分野】
【０００１】
本願は２０１７年９月５日に提出された中国特許出願Ｎｏ．２０１７１０７９２０１７．９の優先権を主張し、そのすべての内容を参考より援用する。
【０００２】
本願は表示技術分野、特に制御回路に関するものであり、当該制御回路の表示装置及び表示装置における光源に給電するための方法を含む。
【背景技術】
【０００３】
生活において、例えば携帯電話類の表示装置の電池持続能力はかねてから表示装置ユーザの注目するところであった。液晶表示（Ｌｉｑｕｉｄ  Ｃｒｙｓｔａｌ  Ｄｉｓｐｌａｙ、略称ＬＣＤ）モジュールは表示装置の重要な構成モジュールであるが、その消費電力は表示装置の消費電力全体の約４０％〜８０％を占め、ＬＣＤモジュールにおけるバックライトの消費電力はＬＣＤモジュールの消費電力全体の８０％を占める。
【発明の概要】
【課題を解決するための手段】
【０００４】
本願は制御回路を提供し、当該制御回路の表示装置及び表示装置における光源に給電するための方法を含む。
【０００５】
本願が提供する制御回路は第１の電源、第２の電源と制御モジュールを含み、前記第１の電源と前記第２の電源はいずれも前記制御モジュールに接続され、
前記制御モジュールは、前記第１の電源と光源の間の接続及び前記第２の電源と光源の間の接続を制御するように構成される。
【０００６】
任意で、前記制御モジュールは第１のスイッチング素子、第２のスイッチング素子、信号発生手段と逆相手段を含み、前記第１のスイッチング素子は前記第１の電源、前記光源と前記信号発生手段に接続され、前記第２のスイッチング素子は前記第２の電源、前記光源と前記逆相手段に接続され、前記逆相手段は前記信号発生手段に接続され、
前記信号発生手段は、前記第１のスイッチング素子により前記第１の電源と前記光源の間の接続を制御し、前記逆相手段と前記第２のスイッチング素子により前記第２の電源と前記光源の間の接続を制御するように構成される。
【０００７】
任意で、前記第１のスイッチング素子は第１のスイッチ管を含み、前記第１のスイッチ管の第１極は前記第１の電源に接続され、前記第１のスイッチ管の第２極は前記光源に接続され、前記第１のスイッチ管の制御極は前記信号発生手段に接続される。
【０００８】
任意で、前記逆相手段は反転増幅器であり、前記反転増幅器の入力端は前記信号発生手段に接続され、前記反転増幅器の出力端は前記第２のスイッチング素子に接続される。
【０００９】
任意で、前記第２のスイッチング素子は第２のスイッチ管を含み、前記第２のスイッチ管の第１極は前記第２の電源に接続され、前記第２のスイッチ管の第２極は前記光源に接続され、前記第２のスイッチ管の制御極は前記逆相手段に接続される。
【００１０】
任意で、前記制御モジュールは第１のスイッチング素子、第２のスイッチング素子と信号発生手段を含み、前記第１のスイッチング素子は前記第１の電源、前記光源と前記信号発生手段に接続され、前記第２のスイッチング素子は前記第２の電源、前記光源と前記信号発生手段に接続され、
前記信号発生手段は、前記第１のスイッチング素子により前記第１の電源と前記光源の間の接続を制御し、前記第２のスイッチング素子により前記第２の電源と前記光源の間の接続を制御するように構成される。
【００１１】
任意で、前記第１のスイッチング素子は第１のスイッチ管を含み、前記第１のスイッチ管の第１極は前記第１の電源に接続され、前記第１のスイッチ管の第２極は前記光源に接続され、前記第１のスイッチ管の制御極は前記信号発生手段に接続され、
前記第２のスイッチング素子は第２のスイッチ管を含み、前記第２のスイッチ管の第１極は前記第２の電源に接続され、前記第２のスイッチ管の第２極は前記光源に接続され、前記第２のスイッチ管の制御極は前記信号発生手段に接続される。
【００１２】
前記第１のスイッチ管はＮ型薄膜トランジスタであり、前記第２のスイッチ管はＰ型薄膜トランジスタである。あるいは、前記第１のスイッチ管はＰ型薄膜トランジスタであり、前記第２のスイッチ管はＮ型薄膜トランジスタである。
【００１３】
任意で、前記信号発生手段はマイクロ制御手段である。
【００１４】
任意で、前記第１の電源は第１のエネルギー貯蔵手段、第１の充電制御チップとソーラーアレイを含み、前記ソーラーアレイは前記第１のエネルギー貯蔵手段と前記第１の充電制御チップに接続され、前記第１の充電制御チップは前記第１のエネルギー貯蔵手段に接続され、
前記第１の充電制御チップは、前記第１のエネルギー貯蔵手段の電気量を監視し、前記ソーラーアレイによる前記第１のエネルギー貯蔵手段への充電を制御するように構成される。
【００１５】
任意で、前記第２の電源は第２のエネルギー貯蔵手段、第２の充電制御チップと給電装置を含み、
前記第２の充電制御チップは、第２のエネルギー貯蔵手段の電気量を監視し、給電装置よる第２のエネルギー貯蔵手段への充電を制御するように構成される。
【００１６】
任意で、前記第２のエネルギー貯蔵手段はリチウム電池であり、前記給電装置は第２のエネルギー貯蔵手段に適する充電器である。
【００１７】
任意で、前記第１の電源は、前記光源との接続に応じて定電流定電圧で前記光源に給電するように構成され、前記第２の電源は、前記光源との接続に応じて定電流定電圧で前記光源に給電するように構成される。
【００１８】
上記目的を実現するために、本願は光源、ディスプレイパネルと上記制御回路を含む表示装置をさらに提供する。
【００１９】
任意で、前記第１の電源は前記光源のみに給電するように構成され、前記第２の電源は、前記表示装置における光源以外の機能モジュールにも給電するように構成される。
【００２０】
任意で、前記光源の給電電源が前記第２の電源から前記第１の電源に切り替わるように前記制御モジュールが制御する過程において、前記表示装置の他の機能モジュールは前記第２の電源との接続を保持する。
【００２１】
上記目的を実現するために、本願は表示装置における光源に給電するための方法をさらに提供し、前記表示装置は光源と制御回路を含み、前記制御回路は第１の電源、第２の電源と制御モジュールを含み、前記第１の電源と前記第２の電源はいずれも前記制御モジュールに接続され、前記給電方法は、
前記第１の電源と前記第２の電源のうちの少なくとも一つが前記光源に給電するように前記制御モジュールが制御するステップを含む。
【００２２】
任意で、前記制御モジュールは第１のスイッチング素子、第２のスイッチング素子、信号発生手段と逆相手段を含み、前記第１のスイッチング素子は前記第１の電源、前記光源と前記信号発生手段に接続され、前記第２のスイッチング素子は前記第２の電源、前記光源と前記逆相手段に接続され、前記逆相手段は前記信号発生手段に接続され、
前記第１の電源が前記光源に給電するように前記制御モジュールが制御するステップは、
前記信号発生手段が前記第１のスイッチング素子により前記第１の電源と前記光源の接続を制御することで、前記第１の電源光源に給電させるステップを含み、
前記第２の電源が前記光源に給電するように前記制御モジュールが制御するステップは
前記信号発生手段が前記逆相手段と前記第２のスイッチング素子により前記第２の電源と前記光源との接続を制御することで、前記第２の電源光源に給電させるステップを含む。
【００２３】
任意で、前記制御モジュールは第１のスイッチング素子、第２のスイッチング素子と信号発生手段を含み、前記第１のスイッチング素子は前記第１の電源、前記光源と前記信号発生手段に接続され、前記第２のスイッチング素子は前記第２の電源、前記光源と前記信号発生手段に接続され、
前記第１の電源が前記光源に給電するように前記制御モジュールが制御するステップは、
前記信号発生手段が前記第１のスイッチング素子により前記第１の電源と前記光源の接続を制御することで、前記第１の電源前記光源に給電させるステップを含み、
前記第２の電源が前記光源に給電するように前記制御モジュールが制御するステップは、
前記信号発生手段が前記第２のスイッチング素子により前記第２の電源と前記光源の接続を制御することで、前記第２の電源前記光源に給電させるステップを含む。
【００２４】
任意で、前記方法は、前記光源の給電電源が前記第２の電源から前記第１の電源に切り替わるように前記制御モジュールが制御するステップをさらに含み、
前記光源の給電電源が前記第２の電源から前記第１の電源に切り替わるように前記制御モジュールが制御するステップは、
前記第２の電源から前記光源に給電するように指示する電源選択指令を前記信号発生手段が受信するステップと、
電源選択指令に基づいて、前記表示装置のディスプレイパネルのスリープモード移行および／またはディスプレイパネルの光源消灯を制御するステップと、
前記第１の電源を前記光源に接続するように制御するステップと、
前記第２の電源を前記光源から切断するように制御するステップと、
ディスプレイパネルの光源を改めて点灯させるステップと、を含む。
【００２５】
任意で、前記光源の給電電源が前記第２の電源から前記第１の電源に切り替わるように前記制御モジュールが制御する過程において、前記表示装置の他の機能モジュールは前記第２の電源との接続を保持する。
【図面の簡単な説明】
【００２６】
【図１】図１は本願の実施例で提供する制御回路の構造概念図である。
【図２】図２は図１に示す制御回路における逆相手段の回路図である。
【図３】図３は本願の実施例で提供する制御回路の機能ブロック図である。
【図４】図４は本願の実施例で提供する制御回路の作動原理図である。
【図５】図５は本願の実施例で提供する制御回路の構造概念図である。
【発明を実施するための形態】
【００２７】
本願の技術案を当業者がよりよく理解できるように、以下では図面を組み合わせ、本願が提供する制御回路、表示装置及び表示装置における光源に給電するための方法について詳細に説明する。
【００２８】
通常、ＬＣＤモジュールのバックライトと表示装置の無線周波モジュール、無線データ通信モジュール、スマート操作モジュール等の機能モジュールはいずれも一つの共用電源によって給電されている。ＬＣＤモジュールのバックライトが占める消費電力は比較的大きいため、表示装置の持続能力が低下するようになってしまう。当該問題を踏まえて本願では制御回路を提供しているが、これは当該制御回路の表示装置及び表示装置における光源に給電するための方法を含む。
【００２９】
図１は本願の実施例で提供する制御回路の構造概念図である。図１に示すように、当該制御回路は第１の電源１、第２の電源２と制御モジュール３を含み、第１の電源１と第２の電源２はいずれも制御モジュール３に接続されている。
【００３０】
本願の実施例によれば、制御モジュール３は第１の電源１または第２の電源２が光源４に給電するように制御するためのものである。制御モジュール３はどの電源を選択して光源４へ給電するかを決定するため、光源４が単独で第１の電源１から給電を受けることができ、また光源４へ給電する第１の電源１と第２の電源２の間の切り替えを実現できる。
【００３１】
本願の実施例による制御回路は表示装置に応用することができる。一部の実施例において、表示装置はディスプレイパネル、光源と制御回路を含み、制御回路は光源４へ給電する第１の電源１と第２の電源２の間の切り替えを実現するためのものである。任意で、第１の電源１は光源４のみに給電するように構成され、第２の電源２は表示装置における無線周波モジュール、無線データ通信モジュール、スマート操作モジュール等その他の機能モジュールにも給電するように構成される。当該制御回路は、表示装置の光源４に電力供給源（例えば第１の電源１）を別個に提供することを実現しており、ひいては第１の電源１から単独で光源４へ給電することを可能にしている。これにより、光源４は表示装置の無線周波モジュール、無線データ通信モジュール、スマート操作モジュール等その他の機能モジュールと同一の共用電源を用いて給電を受ける必要がなくなっている。例えば、光源４は表示装置の無線周波モジュール、無線データ通信モジュール、スマート操作モジュール等その他の機能モジュールとともに第２の電源２を用いて給電を受ける必要がなく、よって共用電源を用いて光源４に給電することによる消費電力の増大を回避している。任意で、光源４はバックライトであり、例えばＬＥＤを含む。任意で、表示装置は携帯電話またはタブレットＰＣ等の端末を含んでもよい。任意で、ディスプレイパネルはＬＣＤディスプレイパネルであってもよい。
【００３２】
任意で、第１の電源１から光源４に給電する場合、第２の電源２は表示装置の他の機能モジュールのみに給電すればよく、光源４に給電する必要はない。
【００３３】
本願の実施例において、光源４に給電する第１の電源１と第２の電源２の間の切り替え過程は２つの状況に分けられる。一つは、光源４がまず第２の電源２によって給電されており、第２の電源２を第１の電源１に切り替えた後、第１の電源１によって給電されるというものであり、残る一つは、光源４がまず第１の電源１によって給電されており、第１の電源１を第２の電源２に切り替えた後、第２の電源２によって給電されるように変わるというものである。第１の電源１を第２の電源２に切り替える必要がある場合、即ち例えば、第１の電源１の電気量が第１の所定値を下回った、あるいは表示装置のユーザが必要に応じて表示装置の操作システムにおける電源設定モジュールを通して第２の電源２が光源４に給電するよう選択したといった場合に、制御モジュール３は第２の電源２が光源４に給電するように制御できる。光源４について言えば、制御回路による制御の下、第１の電源１または第２の電源２が単独で光源４に給電するようにすることで、制御回路の安全性と信頼性を保証している。本実施例において、第１の電源１は光源４に給電するためのみのものであるが、光源４に給電する電源を必要に応じて第１の電源１から第２の電源２に切り替えた時、第２の電源２は光源４と表示装置のその他の機能モジュールの共用電源として、同時に光源４と表示装置のその他の機能モジュールに給電する。
【００３４】
一部の実施例において、図１に示すように、制御モジュール３は第１のスイッチング素子３１、第２のスイッチング素子３２、信号発生手段３３と逆相手段３４を含み、第１のスイッチング素子３１は第１の電源１、光源４と信号発生手段３３に接続され、第２のスイッチング素子３２は第２の電源２、光源４と逆相手段３４に接続され、逆相手段３４は信号発生手段３３に接続されている。任意で、逆相手段３４の出力端ＯＵＴは第２のスイッチング素子３２に接続され、逆相手段３４の入力端ＩＮは信号発生手段３３に接続される。
【００３５】
信号発生手段３３は、第１のスイッチング素子３１により第１の電源１と光源４の接続を制御するとともに、前記逆相手段３４と前記第２のスイッチング素子３２により前記第２の電源２と前記光源４の接続を制御するためのものである。
【００３６】
一部の実施例において、信号発生手段３３は第１のスイッチング素子３１と逆相手段３４へ制御信号を提供するためのものである。任意で、制御信号は高レベルの信号または低レベルの信号であってもよい。
【００３７】
第１のスイッチング素子３１は、第１の電源１と光源４を接続させて第１の電源１による光源４への給電を実現するためのものである。任意で、第１のスイッチング素子３１は、信号発生手段３３からの制御信号に基づいて第１の電源１と光源４の接続または切断を制御するためのものとする。例えば、制御信号が高レベルの信号である場合、第１のスイッチング素子３１が高レベルの信号の作用で導通されることで、第１の電源１が光源４に接続される。この時、第１の電源１は光源４への給電に用いられる。制御信号が低レベルの信号である場合、第１のスイッチング素子３１が低レベルの信号の作用で遮断することで、第１の電源１が光源４と切断される。
【００３８】
逆相手段３４は、逆相信号発生手段３３が提供する制御信号に用いられるものであり、逆相信号を生成した上で第２のスイッチング素子３２に逆相信号を出力する。例えば、制御信号が高レベルの信号である場合、即ち逆相手段３４の入力端ＩＮに高レベルの信号を入力した場合、逆相手段３４は高レベルの信号を逆相させて低レベルの信号を得ることで、逆相手段３４の出力端ＯＵＴが出力する逆相信号を低レベルの信号にする。
【００３９】
第２のスイッチング素子３２は第２の電源２と光源４の接続制御に用いられるものであり、第２の電源２による光源４への給電制御を実現している。任意で、第２のスイッチング素子３２は、逆相手段３４の出力端ＯＵＴが出力した逆相信号に基づいて第２の電源２と光源４の接続または切断を制御するためのものとする。例えば、制御信号が低レベルの信号である場合、第１のスイッチング素子３１は低レベルの信号の作用で遮断され、第１の電源１と光源４は切断される。また同時に、逆相手段３４の入力端ＩＮに低レベルの信号を入力し、逆相手段３４が低レベルの信号を逆相させて高レベルの信号を得ることで、逆相手段３４の出力端ＯＵＴに高レベルの信号を出力させ、逆相手段３４の出力端ＯＵＴが第２のスイッチング素子３２に高レベルの信号を出力することになる。第２のスイッチング素子３２が高レベルの信号の作用で導通されることで、第２の電源２が光源４と接続される。この時、第２の電源２は光源４への給電に用いられる。また例えば、制御信号が高レベルの信号である場合、第１のスイッチング素子３１は導通され、第１の電源１が光源４に給電するとともに、逆相手段３４の入力端ＩＮに高レベルの信号が入力され、逆相手段３４が高レベルの信号を逆相させて低レベルの信号を得ることで、逆相手段３４の出力端ＯＵＴに低レベルの信号を出力させる。逆相手段３４の出力端ＯＵＴが第２のスイッチング素子３２へ低レベルの信号を出力することで、第２のスイッチング素子３２が低レベルの信号の作用で遮断され、第２の電源２と光源が切断される。
【００４０】
一部の実施例において、第１のスイッチング素子３１は第１のスイッチ管Ｑ１を含み、第１のスイッチ管Ｑ１の第１極は第１の電源１に接続され、第１のスイッチ管Ｑ１の第２極は光源４に接続され、第１のスイッチ管Ｑ１の制御極は信号発生手段３３に接続される。任意で、第１のスイッチ管Ｑ１の第１極は第１の電源１の第１端に接続され、第１の電源１の第２端は接地され、第１のスイッチ管Ｑ１の第２極は光源４の第１端に接続され、光源４の第２端は接地される。信号発生手段３３は第１のスイッチ管Ｑ１の制御極に第１の制御信号、例えば高レベルの信号を出力する。第１のスイッチ管Ｑ１が第１の制御信号の制御の下で導通されるようにし、これにより第１の電源１が光源４に接続して給電するように制御する。あるいは、信号発生手段３３が第１のスイッチ管Ｑ１の制御極に第２の制御信号、例えば低レベルの信号を出力し、第１のスイッチ管Ｑ１を第２の制御信号の制御の下で遮断させることで、第１の電源１と光源４の切断を制御する。
【００４１】
本実施例において、第２のスイッチング素子３２は第２のスイッチ管Ｑ２を含み、第２のスイッチ管Ｑ２の第１極は第２の電源２に接続され、第２のスイッチ管Ｑ２の第２極は光源４に接続され、第２のスイッチ管Ｑ２の制御極は逆相手段３４に接続される。任意で、第２のスイッチ管Ｑ２の第１極は第２の電源２の第１端に接続され、第２のスイッチ管Ｑ２の第２極は光源４の第１端に接続され、第２の電源２の第２端は接地され、第２のスイッチ管Ｑ２の制御極は逆相手段３４の出力端ＯＵＴに接続される。信号発生手段３３は逆相手段３４の入力端ＩＮに第２の制御信号、例えば低レベルの信号を入力し、逆相手段３４は第２の制御信号を逆相させることで、逆相手段３４の出力端ＯＵＴに第１の制御信号、例えば高レベルの信号を出力させる。第２のスイッチ管Ｑ２の制御極に高レベルの信号を出力することで、第２のスイッチ管Ｑ２が逆相手段３４の出力端ＯＵＴが出力した高レベルの信号の作用で導通されるようにし、これにより第２の電源２が光源４に接続して給電するよう制御する。あるいは、信号発生手段３３が逆相手段３４の入力端ＩＮに第１の制御信号、例えば高レベルの信号を入力し、逆相手段３４が第１の制御信号を逆相させて、逆相手段３４の出力端ＯＵＴに第２の制御信号、例えば低レベルの信号を出力させるとともに、第２のスイッチ管Ｑ２の制御極に低レベルの信号を出力することで、第２のスイッチ管Ｑ２を逆相手段３４の出力端ＯＵＴが出力した低レベルの信号の作用で遮断させ、これにより第２の電源２と光源４の切断を制御する。
【００４２】
任意で、第１のスイッチ管Ｑ１と第２のスイッチ管Ｑ２はいずれもＮ型薄膜トランジスタとする。任意で、第１のスイッチ管Ｑ１と第２のスイッチ管Ｑ２はＰ型薄膜トランジスタであってもよい。図１では、第１のスイッチ管Ｑ１と第２のスイッチ管Ｑ２がＮ型薄膜トランジスタである状況を示すのみに留めている。第１のスイッチ管Ｑ１と第２のスイッチ管Ｑ２がＰ型薄膜トランジスタである状況はそれぞれがＮ型薄膜トランジスタである状況と類似しており、制御信号のレベルの高低が逆になるに過ぎないので、ここでの贅言は避ける。
【００４３】
一部の実施例において、信号発生手段３３はマイクロ制御手段（Ｍｉｃｒｏｃｏｎｔｒｏｌｌｅｒ  Ｕｎｉｔ、略称ＭＣＵ）である。任意で、信号発生手段３３は具体的に、電源選択指令を受信し、電源選択指令に基づいて第１のスイッチング素子３１と逆相手段３４に制御信号を送信するためのものである。例えば、実際の応用において、ユーザが表示装置において光源４の給電電源として第１の電源１を選択し、即ち、信号発生手段３３に電源選択指令を入力した場合、信号発生手段３３が当該電源選択指令に基づいて第１のスイッチング素子３１と逆相手段３４に制御信号、例えば高レベルの信号を送信することで、第１のスイッチング素子３１を高レベルの信号の作用で導通させて、さらには第１の電源１を光源４に接続して給電する。また逆相手段３４が高レベルの信号を逆相させることで、その出力端ＯＵＴに低レベルの信号を出力させるため、第２のスイッチング素子３２が低レベルの信号の作用で遮断され、これにより第２の電源２と光源４が切断される。
【００４４】
一部の実施例において、逆相手段３４は反転増幅器を含み、反転増幅器の入力端ＩＮは信号発生手段３３に接続され、反転増幅器の出力端ＯＵＴは第２のスイッチング素子３２に接続される。任意で、反転増幅器の出力端ＯＵＴは第２のスイッチング素子３２の制御極に接続される。図２は図１における逆相手段の構造概念図である。図２に示すように、反転増幅器は演算増幅器Ａ、第１の抵抗Ｒ１、第２の抵抗Ｒ２と第３の抵抗Ｒ３を含み、そのうち第１の抵抗Ｒ１の第１端は演算増幅器Ａの反転入力端５に接続され、第１の抵抗Ｒ１の第２端は反転増幅器の入力端ＩＮであり、第２の抵抗Ｒ２の第１端は演算増幅器Ａの反転入力端５に接続され、第２の抵抗Ｒ２の第２端は演算増幅器Ａの出力端６（反転増幅器の出力端ＯＵＴ）に接続され、第３の抵抗Ｒ３の第１端は演算増幅器Ａの非反転入力端７に接続され、第３の抵抗Ｒ３の第２端は接地される。任意で、第１の抵抗Ｒ１の抵抗値をＲ、第２の抵抗Ｒ２の抵抗値をＲとし、即ち第１の抵抗Ｒ１と第２の抵抗Ｒ２の抵抗値を同一とする。第３の抵抗Ｒ３は差分信号のインピーダンス整合がとれている抵抗であり、非反転入力端７の電圧はＶ＋、反転入力端５の電圧はＶ−、入力端ＩＮの電圧はＶｉｎ、出力端ＯＵＴの電圧はＶｏｕｔである。当該反転増幅器の作動原理は、反転増幅器の理想特性に基づき、演算増幅器Ａの非反転入力端７の電圧を反転入力端５の電圧と等しく、即ちＶ＋＝Ｖ−とし、第１の抵抗Ｒ１を流れる電流を第２の抵抗Ｒ２を流れる電流と等しく、即ちＩ１＝Ｉ２とするというものである。ここでＩ１は第１の抵抗Ｒ１を流れる電流であり、Ｉ２は第２の抵抗Ｒ２を流れる電流である。以上から分かるように、入力端ＩＮの電圧Ｖｉｎと出力端ＯＵＴの電圧Ｖｏｕｔの間の関係は、
【数１】
2020532752.tif 000003
であり、即ちＶｉｎ＝−Ｖｏｕｔである。従って、入力端ＩＮに高レベルの信号を入力した場合、出力端ＯＵＴは低レベルの信号を出力し、入力端ＩＮに低レベルの信号を入力した場合、出力端ＯＵＴは高レベルの信号を出力する。
【００４５】
図３は本願の実施例で提供する制御回路の機能ブロック図である。同図３に示すように、一部の実施例において、第１の電源１は第１のエネルギー貯蔵手段、第１の充電制御チップとソーラーアレイを含む。任意で、第１のエネルギー貯蔵手段は蓄電池、例えば鉛蓄電池、ニッケル・カドミウム電池、ニッケル水素電池等とする。本実施例において、ソーラーアレイは第１のエネルギー貯蔵手段と第１の充電制御チップに接続され、第１の充電制御チップは第１のエネルギー貯蔵手段に接続され、第１のエネルギー貯蔵手段の第１端は第１のスイッチ管Ｑ１の第１極に接続され、第１のエネルギー貯蔵手段の第２端は接地される。第１の充電制御チップは、第１のエネルギー貯蔵手段の電気量を監視してソーラーアレイによる第１のエネルギー貯蔵手段への充電を制御することに用いられ、第１のエネルギー貯蔵手段は光源４への給電に用いられる。一部の実施例においては、第１のエネルギー貯蔵手段の電気量が第１の所定値（例えば２０％）よりも低いことが第１の充電制御チップによる監視で見出された場合、第１の充電制御チップはソーラーアレイに第１の充電信号を発して、ソーラーアレイが第１のエネルギー貯蔵手段に充電するように仕向ける。また、第１のエネルギー貯蔵手段の電気量が第３の所定値（例えば１００％）と等しいことが第１の充電制御チップによる監視で見出された場合、第１の充電制御チップはソーラーアレイに第１の充電停止信号を発して、ソーラーアレイによる第１のエネルギー貯蔵手段への充電を停止させる。このほか、充電過程において第１の充電制御チップは、第１のエネルギー貯蔵手段に過電圧や高温などの異常が発生したことを監視により見出したときにも、ソーラーアレイに第１の充電停止信号を発してソーラーアレイによる第１のエネルギー貯蔵手段への充電を停止させる。第１の充電制御チップとソーラーアレイを設けることにより、第１のエネルギー貯蔵手段に発生する過放電、過電圧、過充電、高温等の現象を効果的に防止できる。一部の実施例において、ソーラーアレイは太陽エネルギー電池パネルである。ソーラーアレイは具体的には、太陽エネルギーを受け止めてそれを電気エネルギーに転換することで、第１のエネルギー貯蔵手段に電気エネルギーを出力し、さらには第１のエネルギー貯蔵手段への充電を実現するものである。実際の応用において、ソーラーアレイは表示装置の裏板および／または前端カバープレートの非表示領域に設置することができる。ソーラーアレイは、表示装置が強い光環境にある場合に限って第１のエネルギー貯蔵手段に対して正常に充電できるものであり、弱い外界光環境、例えば曇りや夜間、室内環境にあってはソーラーアレイの吸収可能な太陽エネルギーが少なく、第１のエネルギー貯蔵手段に正常に充電できない恐れがある。なお、図３では本願の実施例で提供する制御回路の部分的構造が示されているに過ぎない。本願の実施例で提供する制御回路の実際応用における構造は図３に示すような構造に限らず、その他の構造も含まれるが、ここでは逐一例示しない。
【００４６】
本願の実施例において、第１の充電制御チップは信号発生手段３３の電源制御チップとも接続し、通信する。第１の電源１が光源４に給電を行なっているときに、第１のエネルギー貯蔵手段の電気量が第１の所定値よりも低く、かつ所定時間に達したということを第１の充電制御チップが監視により見出した場合、第１の充電制御チップは信号発生手段３３の電源制御チップに第１のエネルギー貯蔵手段の電気量が不足していることを示す信号を発し、信号発生手段３３の電源制御チップが当該信号に基づいて第１のスイッチング素子３１と逆相手段３４に制御信号、例えば低レベルの信号を提供する。そして第１のスイッチング素子３１を低レベルの信号の作用で遮断させることで、第１の電源１と光源４を切断すると同時に、逆相手段により低レベルの信号を反転させて高レベルの信号を生成し、第２のスイッチング素子３２に高レベルの信号を出力することで、第２のスイッチング素子３２を高レベルの信号の作用で導通させて、さらには第２の電源２を光源４に接続して給電させる。具体的には図３に示すように、第２の電源２が電源出力回路を通して光源４に給電する。このように、第１の電源１による光源４への給電過程において、第１のエネルギー貯蔵手段の電気量が第１の所定値よりも低く、かつ所定時間に達した場合、光源４の給電電源を第１の電源１から第２の電源２に自動的に切り替え、第２の電源２から光源４に給電することになる。
【００４７】
図３に示すように、一部の実施例において、第２の電源２は第２のエネルギー貯蔵手段、第２の充電制御チップと給電装置を含む。任意で、第２のエネルギー貯蔵手段はリチウム電池とし、給電装置は第２のエネルギー貯蔵手段に適したバッククリップ式充電器やクレードル充電器などとしてもよい。本願の実施例において、給電装置は第２のエネルギー貯蔵手段と第２の充電制御チップに接続され、第２の充電制御チップは第２のエネルギー貯蔵手段に接続され、第２のエネルギー貯蔵手段の第１端は第２のスイッチ管Ｑ２の第１極に接続され、第２のエネルギー貯蔵手段の第２端は接地される。第２の充電制御チップは第２のエネルギー貯蔵手段の電気量を監視し、給電装置による第２のエネルギー貯蔵手段への充電を制御するためものであり、第２のエネルギー貯蔵手段は、必要に応じて光源４の給電電源を第１の電源１から第２の電源２に切り替えた時に、光源４に給電するためのものである。一部の実施例において、第２のエネルギー貯蔵手段の電気量が第２の所定値（例えば２０％）よりも低いことが第２の充電制御チップによる監視で見出された場合、第２の充電制御チップは給電装置に第２の充電信号を発して、給電装置が第２のエネルギー貯蔵手段に充電するよう仕向ける。また、第２のエネルギー貯蔵手段の電気量が第４の所定値（例えば１００％）と等しいことが第２の充電制御チップによる監視で見出された場合、第２の充電制御チップは給電装置に第２の充電停止信号を発して、給電装置による第２のエネルギー貯蔵手段への充電を停止させる。このほか、充電過程において第２の充電制御チップは、第２のエネルギー貯蔵手段に過電圧や高温などの異常が発生したことを監視により見出したときにも、給電装置に第２の充電停止信号を発して給電装置による第２のエネルギー貯蔵手段への充電を停止させる。即ち、第２の充電制御チップと給電装置を設けることにより、第２のエネルギー貯蔵手段に発生する過放電、過電圧、過充電、高温等の現象を効果的に防止できる。
【００４８】
本願の実施例において、第２の充電制御チップは信号発生手段３３における電源制御チップと接続し、通信する。第２の電源２が光源４に給電を行なって、第２のエネルギー貯蔵手段の電気量が第２の所定値よりも低く、かつ所定時間に達したということを第２の充電制御チップが監視により見出した場合、第２の充電制御チップは信号発生手段３３の電源制御チップに第２のエネルギー貯蔵手段の電気量が不足していることを示す信号を発し、信号発生手段３３の電源制御チップが当該信号に基づいて第１のスイッチング素子３１と逆相手段３４に制御信号、例えば高レベルの信号を提供する。そして第１のスイッチング素子３１を高レベルの信号の作用で導通させることで、第１の電源１を光源４に接続して給電する。具体的には図３に示すように、第１の電源１（第１のエネルギー貯蔵手段）が電源出力回路を通して光源４に給電するとともに、逆相手段３４により高レベルの信号を反転させて低レベルの信号を生成し、第２のスイッチング素子３２に低レベルの信号を出力することで、第２のスイッチング素子３２を低レベルの信号の作用で遮断して、さらには第２の電源２と光源４の間を切断する。このように、第２の電源２による光源４への給電過程において、第２のエネルギー貯蔵手段の電気量が第２の所定値よりも低く、かつ所定時間に達した場合、光源４の給電電源を第２の電源２から第１の電源１に自動的に切り替え、第１の電源１から光源４に給電することになる。具体的には、第１のエネルギー貯蔵手段によって光源４に給電する。
【００４９】
一部の実施例においては、第１の電源１による光源４への給電、第２の電源２による光源４への給電のどちらにおいても定電流定電圧を用いることで、制御モジュールによる電源切替え制御の利便性を高めるとともに、切替え制御時の給電不安定等の弊害を効果的に避けることができる。
【００５０】
図４は本願の実施例で提供する制御回路の実際応用における作動原理図である。図４では表示装置が光源の給電電源を第２の電源から第１の電源に切り替える過程が示されている。以下では図３、４を組み合わせ、本願の実施例で提供する制御回路の作動原理について詳細に説明する。
【００５１】
図３と図４に示すように、実際の応用において、表示装置として携帯電話を例に挙げて説明すると、携帯電話のユーザが携帯電話操作システムにおける電源設置モジュールを通して第１の電源を選択して光源に給電したとき、即ち、信号発生手段に電源選択指令を送信したとき、信号発生手段は電源選択指令に基づいて携帯電話のディスプレイパネルのスリープモード移行および／またはディスプレイパネルの光源消灯を制御するとともに、電源選択指令に基づいて逆相手段の入力端と第１のスイッチング素子の制御極に高レベルの信号を発して、第１のスイッチング素子の制御極が高レベルの信号の作用で第１のスイッチング素子の導通を制御するようにし、さらには第１の電源をディスプレイパネルの光源に接続して、第１の電源による電源出力回路を通した光源への給電を実現する。
【００５２】
この時、逆相手段は高レベルの信号を反転させて低レベルの信号を第２のスイッチング素子の制御極に出力し、第２のスイッチング素子の制御極が低レベルの信号の作用で第２のスイッチング素子の遮断を制御するようにすることで、第２の電源とディスプレイパネルの光源を切断する。
【００５３】
ここまでで、光源の給電電源の第２の電源から第１の電源への切り替えと、第１の電源によるディスプレイパネルの光源への給電が完了する。この時、ディスプレイパネルの光源が第１の電源の給電作用で改めて点灯し、ディスプレイパネルが点灯状態になる。
【００５４】
切替え完了後、第２の電源はディスプレイパネルの光源に給電しなくなるが、携帯電話のその他の機能モジュールには引き続き給電する。例えば、携帯電話無線周波モジュール、無線データ通信モジュール、スマート操作モジュール等その他の機能モジュールに給電する。言い換えれば、光源に給電する第１の電源と第２の電源を切り替える過程、即ちディスプレイパネルをスリープモードへ移行させたりディスプレイパネルを点灯したりする操作過程において、携帯電話の携帯電話無線周波モジュール、無線データ通信モジュール、スマート操作モジュール等その他のモジュールは第２の電源の給電作用下で正常に作動する。本願の実施例において、第１の電源はディスプレイパネルの光源のみに給電するが、第２の電源はディスプレイパネルの光源に給電するのみならず、携帯電話の無線周波モジュール、無線データ通信モジュール、スマート操作モジュール等その他のモジュールへの給電を保持し続けることができる。即ち、光源に給電する第１の電源と第２の電源を切り替える過程において、携帯電話の無線周波モジュール、無線データ通信モジュール、スマート操作モジュール等その他の機能モジュールは電源を遮断して再起動する必要がなく、ひいては携帯電話が点灯された時にユーザとシステム関連のデータを改めて読み取ることを回避し、消費電力を節約して携帯電話システムの応答時間を短縮している。
【００５５】
本願の実施例で提供する制御回路において、制御モジュールは第１の電源または第２の電源による光源への給電を制御することで、光源が単独で一つの電源から給電を受けることを可能としており、共用電源を用いて光源に給電することによる消費電力の増大を避け、表示装置の持続能力を向上させている。また本願の実施例における、光源に給電する第１の電源と第２の電源を切り替える過程において、第２の電源が表示装置のその他の機能モジュールに給電し続けることで、その他の機能モジュールが電源を遮断して再起動する必要をなくしており、ひいては携帯電話が点灯された時にユーザとシステム関連のデータを改めて読み取ることを回避し、消費電力を節約して携帯電話システムの応答時間を短縮し、表示装置の持続能力を向上させている。本願の実施例で提供する制御回路は、光源に給電する第２の電源と第１の電源の間の切り替えをも実現でき、操作性が良好であり、切替え過程の利便性が高く迅速であり、表示装置ユーザの操作体験を向上させている。
【００５６】
図５は本願の実施例で提供する制御回路の構造概念図である。図５に示すように、本実施例と上記実施例の相違点は、制御モジュールが第１のスイッチング素子３１、第２のスイッチング素子３２と信号発生手段３３を含み、第１のスイッチング素子３１が第１の電源１、光源４と信号発生手段３３に接続され、第２のスイッチング素子３２が第２の電源２、光源４と信号発生手段３３に接続されるという点である。
【００５７】
信号発生手段３３は第１のスイッチング素子３１により第１の電源１と光源４の接続を制御し、第２のスイッチング素子３２により第２の電源２と光源４の接続を制御するためのものである。
【００５８】
本実施例において、第１のスイッチング素子３１は第１のスイッチ管Ｑ１を含み、第１のスイッチ管Ｑ１の第１極は第１の電源１に接続され、第１のスイッチ管Ｑ１の第２極は光源４に接続され、第１のスイッチ管Ｑ１の制御極は信号発生手段３３に接続される。
【００５９】
本実施例において、第２のスイッチング素子３２は第２のスイッチ管Ｑ２を含み、第２のスイッチ管Ｑ２の第１極は第２の電源２に接続され、第２のスイッチ管Ｑ２の第２極は光源４に接続され、第２のスイッチ管Ｑ２の制御極は信号発生手段３３に接続される。
【００６０】
本実施例において、第１のスイッチ管Ｑ１はＮ型薄膜トランジスタであり、第２のスイッチ管Ｑ２はＰ型薄膜トランジスタである。あるいは、第１のスイッチ管Ｑ１はＰ型薄膜トランジスタであり、第２のスイッチ管Ｑ２はＮ型薄膜トランジスタである。図５では、第１のスイッチ管Ｑ１がＮ型薄膜トランジスタであり第２のスイッチ管Ｑ２がＰ型薄膜トランジスタであるという状況を示すに留めており、第１のスイッチ管Ｑ１がＰ型薄膜トランジスタであり第２のスイッチ管Ｑ２がＮ型薄膜トランジスタであるという状況は示されていない。
【００６１】
具体的に述べれば、第１のスイッチ管Ｑ１がＮ型薄膜トランジスタであり第２のスイッチ管Ｑ２がＰ型薄膜トランジスタである場合、信号発生手段３３は第１のスイッチング素子３１と第２のスイッチング素子３２に制御信号、例えば高レベルの信号を提供することで、第１のスイッチング素子３１を高レベルの信号の作用で導通させて、さらには第１の電源１を光源４に接続して給電する。また第２のスイッチング素子３２を高レベルの信号の作用で遮断して、第２の電源２と光源４を切断する。あるいは、信号発生手段３３は第１のスイッチング素子３１と第２のスイッチング素子３２に制御信号、例えば低レベルの信号を提供することで、第２のスイッチング素子３２を低レベルの信号の作用で導通させて、さらには第２の電源２を光源４に接続して給電する。また第１のスイッチング素子３１を低レベルの信号の作用で遮断して、第１の電源１と光源４を切断する。第１のスイッチ管Ｑ１がＰ型薄膜トランジスタであり第２のスイッチ管Ｑ２がＮ型薄膜トランジスタであるという状況については、第１のスイッチ管Ｑ１がＮ型薄膜トランジスタであり第２のスイッチ管Ｑ２がＰ型薄膜トランジスタであるという状況を参照できるので、ここでの贅言は避ける。
【００６２】
本実施例で提供する制御回路のその他の構造に関しても上記実施例の記載を参照することができるので、ここでの贅言は避ける。
【００６３】
本実施例で提供する制御回路において、制御モジュールは第１の電源または第２の電源による光源への給電を制御することで、光源が単独で一つの電源から給電を受けることを可能としており、共用電源を用いて光源に給電することによる消費電力の増大を避け、表示装置の持続能力を向上させている。また本実施例における、光源に給電する第１の電源と第２の電源を切り替える過程において、第２の電源が表示装置のその他の機能モジュールに給電し続けることで、その他の機能モジュールが電源を遮断して再起動する必要をなくしており、ひいては携帯電話が点灯された時にユーザとシステム関連のデータを改めて読み取ることを回避し、消費電力を節約して携帯電話システムの応答時間を短縮し、表示装置の持続能力を向上させている。本実施例で提供する制御回路は、光源に給電する第２の電源と第１の電源の間の切り替えをも実現でき、操作性が良好であり、切替え過程の利便性が高く迅速であり、表示装置ユーザの操作体験を向上させている。
【００６４】
本願の実施例では光源、ディスプレイパネルと上記実施例で提供した制御回路を含む表示装置をさらに提供している。
【００６５】
本実施例における制御回路については、上記実施例の記載を参照することができるので、ここでの贅言を避ける。
【００６６】
本実施例で提供する表示装置において、制御モジュールは第１の電源または第２の電源による光源への給電を制御することで、光源が単独で一つの電源から給電を受けることを可能としており、共用電源を用いて光源に給電することによる消費電力の増大を避け、表示装置の持続能力を向上させている。また本実施例における、光源に給電する第１の電源と第２の電源を切り替える過程において、第２の電源が表示装置のその他の機能モジュールに給電し続けることで、その他の機能モジュールが電源を遮断して再起動する必要をなくしており、ひいては携帯電話が点灯された時にユーザとシステム関連のデータを改めて読み取ることを回避し、消費電力を節約して携帯電話システムの応答時間を短縮し、表示装置の持続能力を向上させている。本実施例は、光源に給電する第２の電源と第１の電源の間の切り替えをも実現でき、操作性が良好であり、切替え過程の利便性が高く迅速であり、表示装置ユーザの操作体験を向上させている。
【００６７】
本願の実施例では、表示装置における光源に給電するための方法を提供し、当該表示装置は光源と制御回路を含み、当該制御回路は第１の電源、第２の電源と制御モジュールを含み、第１の電源と第２の電源はいずれも制御モジュールに接続され、当該方法は
【００６８】
第１の電源と第２の電源のうちの少なくとも一つが光源に充電するように制御モジュールが制御するステップを含む。
【００６９】
制御モジュールは第１のスイッチング素子、第２のスイッチング素子、信号発生手段と逆相手段を含み、第１のスイッチング素子は第１の電源、光源と信号発生手段に接続され、第２のスイッチング素子は第２の電源、光源と逆相手段に接続され、逆相手段は信号発生手段に接続される。
【００７０】
第１の電源が光源に給電するように制御モジュールが制御する場合、前記方法は、信号発生手段が第１のスイッチング素子により第１の電源と光源の接続を制御することで、第１の電源光源に給電させるというステップを含んでもよい。
【００７１】
任意で、信号発生手段が第１のスイッチング素子により第１の電源と光源の接続を制御することで、第１の電源光源に給電させるというステップは、次のステップ３０１〜ステップ３０３を含む。
【００７２】
ステップ３０１：信号発生手段が第１のスイッチング素子と逆相手段に第１の制御信号、例えば高レベルの信号を提供する。
【００７３】
ステップ３０２：第１のスイッチング素子が第１の制御信号に基づいて第１の電源と光源の接続を制御することで、第１の電源が光源に給電するように制御する。具体的には、第１のスイッチング素子を第１の制御信号の作用で導通させることで、第１の電源を光源に接続させるように制御する。
【００７４】
ステップ３０３：逆相手段、逆相信号発生手段が提供する第１の制御信号が逆相信号を生成して第２のスイッチング素子に逆相信号を出力し、第２のスイッチング素子が逆相信号に基づいて第２の電源と光源が切断するように制御する。例えば、逆相手段は高レベルの信号を反転させて低レベルの信号を生成することで、第２のスイッチング素子に低レベルの信号を出力し、第２のスイッチング素子は逆相手段の出力した低レベルの信号により第２の電源と光源が切断するように制御する。
【００７５】
ステップ３０２とステップ３０３は同時に実行することも、ステップ３０３をステップ３０２の前に実行することもできると理解される。
【００７６】
第２の電源が光源に給電するように制御モジュールが制御する場合、前記方法は、信号発生手段が逆相手段と第２のスイッチング素子により第２の電源と光源の接続を制御することで、第２の電源前記光源に給電させるというステップを含んでもよい。
【００７７】
任意で、信号発生手段が逆相手段と第２のスイッチング素子により第２の電源と光源の接続を制御することで、第２の電源前記光源に給電させるというステップは、次のステップ４０１〜ステップ４０３を含む。
【００７８】
ステップ４０１：信号発生手段が第１のスイッチング素子と逆相手段に第２の制御信号、例えば低レベルの信号を提供する。
【００７９】
ステップ４０２：逆相手段、逆相信号発生手段が提供する第２の制御信号が逆相信号を生成し第２のスイッチング素子に逆相信号を出力し、第２のスイッチング素子が逆相信号に基づいて第２の電源と光源が接続するように制御することで、第２の電源が光源に給電するように制御する。具体的には、逆相手段が低レベルの信号を反転させて高レベルの信号を生成することで、第２のスイッチング素子に高レベルの信号を出力し、第２のスイッチング素子が逆相手段の出力した高レベルの信号により第２の電源と光源が接続するように制御する。
【００８０】
ステップ４０３：第１のスイッチング素子が第２の制御信号により第１の電源と光源が切断するように制御する。例えば、第１のスイッチング素子は信号発生手段の提供した低レベルの信号により第１の電源と光源が切断するように制御する。
【００８１】
ステップ４０２とステップ４０３は同時に実行することも、ステップ４０３をステップ４０２の前に実行することもできると理解される。
【００８２】
このほか、光源の給電電源を第２の電源から第１の電源に切り替える場合、前記方法は、
信号発生手段が電源選択指令を受信するステップと、
電源選択指令に基づいて、表示装置のディスプレイパネルのスリープモード移行および／またはディスプレイパネルの光源消灯を制御するステップと、
第１のスイッチング素子により第１の電源を光源に接続するように制御することで、第１の電源から光源に給電するステップと、
逆相手段と第２のスイッチング素子により第２の電源を光源から切断するように制御するステップと、
ディスプレイパネルの光源を改めて点灯させるステップと、を含む。光源の給電電源を第２の電源から第１の電源に切り替える過程において、表示装置のその他の機能モジュールは第２の電源との接続を保持する。
【００８３】
本実施例で提供する、表示装置における光源に給電するための方法は、上記実施例で提供する表示装置における光源への給電に用いられる。表示装置に関する具体的な記載は上記実施例を参照できるので、ここでの贅言は避ける。
【００８４】
本実施例で提供する、表示装置における光源に給電するための方法において、制御モジュールは第１の電源または第２の電源による光源への給電を制御することで、光源が単独で一つの電源から給電を受けることを可能としており、共用電源を用いて光源に給電することによる消費電力の増大を避け、表示装置の持続能力を向上させている。また本実施例における、光源に給電する第１の電源と第２の電源を切り替える過程において、第２の電源が表示装置のその他の機能モジュールに給電し続けることで、その他の機能モジュールが電源を遮断して再起動する必要をなくしており、ひいては携帯電話が点灯された時にユーザとシステム関連のデータを改めて読み取ることを回避し、消費電力を節約して携帯電話システムの応答時間を短縮し、表示装置の持続能力を向上させている。本実施例は、光源に給電する第２の電源と第１の電源の間の切り替えをも実現でき、操作性が良好であり、切替え過程の利便性が高く迅速であり、表示装置ユーザの操作体験を向上させている。
【００８５】
本願の実施例では、表示装置における光源に給電するための方法をさらに提供し、当該表示装置は光源と制御回路を含み、当該制御回路は第１の電源、第２の電源と制御モジュールを含み、第１の電源と第２の電源はいずれも制御モジュールに接続され、当該方法は
第１の電源と第２の光源のうちの少なくとも一つが光源に充電するように制御モジュールが制御するステップを含む。
【００８６】
制御モジュールは第１のスイッチング素子、第２のスイッチング素子、信号発生手段を含んでもよく、第１のスイッチング素子は第１の電源、光源と信号発生手段に接続され、第２のスイッチング素子は第２の電源、光源と信号発生手段に接続される。
【００８７】
第１の電源が光源に給電するように制御モジュールが制御する場合、前記方法は、信号発生手段が第１のスイッチング素子により第１の電源と光源の接続を制御することで、第１の電源光源に給電させるというステップを含んでもよい。
【００８８】
任意で、信号発生手段が第１のスイッチング素子により第１の電源と光源の接続を制御することで、第１の電源光源に給電させるというステップは、次のステップ５０１〜ステップ５０３を含む。
【００８９】
ステップ５０１：信号発生手段が第１のスイッチング素子と第２のスイッチング素子に第１の制御信号、例えば高レベルの信号を提供する。
【００９０】
ステップ５０２：第１のスイッチング素子が第１の制御信号に基づいて第１の電源と光源の接続を制御することで、第１の電源が光源に給電するように制御する。具体的には、第１のスイッチング素子を第１の制御信号の作用で導通させることで、第１の電源を光源に接続させるように制御する。
【００９１】
ステップ５０３：第２のスイッチング素子が第１の制御信号に基づいて第２の電源と光源が切断するように制御する。具体的には、第２のスイッチング素子を第２の制御信号の作用で遮断させることで、第２の電源と光源が切断するように制御する。
【００９２】
ステップ５０２とステップ５０３は同時に実行することも、ステップ５０３をステップ５０２の前に実行することもできると理解される。
【００９３】
第２の電源が光源に給電するように制御モジュールが制御する場合、前記方法は、信号発生手段が第２のスイッチング素子により第２の電源と光源の接続を制御することで、第２の電源前記光源に給電させるというステップを含んでもよい。
【００９４】
任意で、信号発生手段が第２のスイッチング素子により第２の電源と光源の接続を制御することで、第２の電源前記光源に給電させるというステップは、次のステップ６０１〜ステップ６０３を含む。
【００９５】
ステップ６０１：信号発生手段が第１のスイッチング素子と第２のスイッチング素子に第２の制御信号、例えば低レベルの信号を提供する。
【００９６】
ステップ６０２：第２のスイッチング素子が第２の制御信号に基づいて第２の電源と光源が接続するように制御することで、第２の電源が光源に給電するように制御する。具体的には、第２のスイッチング素子を低レベルの信号の作用で導通させることで、第２の電源と光源が接続するように制御する。
【００９７】
ステップ６０３：第１のスイッチング素子が第２の制御信号により第１の電源と光源が切断するように制御する。具体的には、第１のスイッチング素子は信号発生手段の提供した低レベルの信号により第１の電源と光源が切断するように制御する。
【００９８】
ステップ６０２とステップ６０３は同時に実行することも、ステップ６０３をステップ６０２の前に実行することもできると理解される。
【００９９】
このほか、光源の給電電源を第２の電源から第１の電源に切り替える場合、前記方法は、
信号発生手段が電源選択指令を受信するステップと、
電源選択指令に基づいて、表示装置のディスプレイパネルのスリープモード移行および／またはディスプレイパネルの光源消灯を制御するステップと、
第１のスイッチング素子により第１の電源を光源に接続するように制御することで、第１の電源から光源に給電するステップと、
第２のスイッチング素子により第２の電源を光源から切断するように制御するステップと、
ディスプレイパネルの光源を改めて点灯させるステップと、を含む。光源の給電電源を第２の電源から第１の電源に切り替える過程において、表示装置のその他の機能モジュールは第２の電源との接続を保持する。
【０１００】
本実施例で提供する、表示装置における光源に給電するための方法は、上記実施例で提供する表示装置における光源への給電に用いられる。表示装置に関する具体的な記載は上記実施例を参照できるので、ここでの贅言は避ける。
【０１０１】
本実施例で提供する、表示装置における光源に給電するための方法において、制御モジュールは第１の電源または第２の電源による光源への給電を制御することで、光源が単独で一つの電源から給電を受けることを可能としており、共用電源を用いて光源に給電することによる消費電力の増大を避け、表示装置の持続能力を向上させている。また本実施例における、光源に給電する第１の電源と第２の電源を切り替える過程において、第２の電源が表示装置のその他の機能モジュールに給電し続けることで、その他の機能モジュールが電源を遮断して再起動する必要をなくしており、ひいては携帯電話が点灯された時にユーザとシステム関連のデータを改めて読み取ることを回避し、消費電力を節約して携帯電話システムの応答時間を短縮し、表示装置の持続能力を向上させている。本実施例は、光源に給電する第２の電源と第１の電源の間の切り替えをも実現でき、操作性が良好であり、切替え過程の利便性が高く迅速であり、表示装置ユーザの操作体験を向上させている。
【０１０２】
上述した実施形態は本発明の原理を説明するための例示的実施形態に過ぎず、本発明はこれに限定されない。当業者にとっては、本発明の精神や主旨を逸脱しない範囲で種々の変形と改良が可能であり、それらも本発明の請求範囲に含まれると見なす。
【図１】
2020532752.tif 000004
【図２】
2020532752.tif 000005
【図３】
2020532752.tif 000006
【図４】
2020532752.tif 000007
【図５】
2020532752.tif 000008
【国際調査報告】
2020532752.tif 000009
2020532752.tif 000010
2020532752.tif 000011
2020532752.tif 000012